(57)【要約】【課題】マンホールにおける漏水遮断工事は、マンホールの継目にウレタン系のシール材を挟んで施工するなどしている。しかし、凍上による継目のずれ、もしくは地上からの振動によって破壊されるなどの問題がある。【解決手段】有底の円筒状の下部円筒枠２Ａの上に適数個の円筒状の中間円筒枠２Ｂ、逆ろうと状の上部円筒枠２Ｃ、蓋２Ｄを順次積み重ねて構成されているマンホール２に対して、上部円筒枠２Ｃ、中間円筒枠２Ｂ、下部円筒枠２Ａの内周面に対応するよう天然系合成ゴムをもって構成されたマンホール用漏水遮断具体と、それを取付ける止め輪で構成されている。【選択図】　　　　図１
2004143784.tif 000002
【特許請求の範囲】
【請求項１】
有底の円筒状の下部円筒枠（２Ａ）の上に適数個の円筒状の中間円筒枠（２Ｂ）、逆ろうと状の上部円筒枠（２Ｃ）、蓋（２Ｄ）を順次積み重ねて構成されているマンホール（２）において、天然系合成ゴムをもって上部円筒枠（２Ｃ）の内周面に対応するよう構成された逆ろうと状の円筒面（３Ａ）と、逆ろうと状の円筒面の上端の内周面に対応するよう構成された所定高さの円筒状上筒面（３Ｂ）と、逆ろうと状の円筒面（３Ａ）の下端に下方に向け処理を所望する中間円筒枠（２Ｂ）の内周面を越え下部円筒枠（２Ａ）に達するよう連設された下部円筒枠（３Ｃ）と、下部円筒枠の下端部分に設けられた所定高さの円筒状下筒面（３Ｄ）から構成されていることを特徴とするマンホール用漏水遮断具体。
【請求項２】
有底の円筒状の下部円筒枠（２Ａ）の上に適数個の円筒状の中間円筒枠（２Ｂ）、逆ろうと状の上部円筒枠（２Ｃ）、蓋（２Ｄ）を順次積み重ねて構成されているマンホール（２）において、下記のマンホール用漏水遮断具体（３）と、上端用止め輪（４）と、適数個の中間用止め輪（５）から構成されていることを特徴とするマンホールにおける漏水遮断具。
Ａ．マンホール用漏水遮断具体（３）は、天然系合成ゴムをもって上部円筒枠（２Ｃ）の内周面に対応するよう構成された逆ろうと状の円筒面（３Ａ）と、逆ろうと状の円筒面の上端の内周面に対応するよう構成された所定高さの円筒状上筒面（３Ｂ）と、逆ろうと状の円筒面（３Ａ）の下端に下方に向け処理を所望する中間円筒枠（２Ｂ）の内周面を越え下部円筒枠（２Ａ）に達するよう連設された下部円筒枠（３Ｃ）と、下部円筒枠の下端部分に設けられた所定高さの円筒状下筒面（３Ｄ）から構成されていること。
Ｂ．上端用止め輪（４）は、左方の半円状の帯状板（４Ａ）と右方の半円状の帯状板（４Ｂ）と前方ボルト部（４Ｃ）と後方ボルト部（４Ｄ）からなり、マンホール用漏水遮断具体（３）における円筒状上筒面（３Ｂ）の内周面に対応するよう構成され、当該上端用止め輪（４）は、縮径状態にしたり、伸径状態にすることができるよう構成されていること。
Ｃ．中間用止め輪（５）は、左方の半円状の帯状板（５Ａ）と右方の半円状の帯状板（５Ｂ）と前方ボルト部（５Ｃ）と後方ボルト部（５Ｄ）からなり、マンホール用漏水遮断具体（３）における円筒状下筒面（３Ｄ）の内周面に対応するよう構成され、当該中間用止め輪（５）は、縮径状態にしたり、伸径状態にすることができるよう構成されていること。
【請求項３】
上端用止め輪（４）と中間用止め輪（５）に代えて使用する第１種上端用止め輪（６）と第１種中間用止め輪（７）は下記のように構成されている請求項２記載のマンホールにおける漏水遮断具。
Ａ．第１種上端用止め輪（６）は、左方の半円状の帯状板（６Ａ）と右方の半円状の帯状板（６Ｂ）と連結枠（６Ｃ）と間隔保持板（６Ｄ）と固定枠（６Ｅ）から構成され、マンホール用漏水遮断具体（３）における円筒状上筒面（３Ｂ）の内周面に対応するよう構成され、当該第１種上端用止め輪（６）は、縮径状態にしたり、伸径状態にすることができるよう構成されていること。
Ｂ．第１種中間用止め輪（７）は、左方の半円状の帯状板（７Ａ）と右方の半円状の帯状板（７Ｂ）と連結枠（７Ｃ）と間隔保持板（７Ｄ）と固定枠（７Ｅ）から構成され、当該第１種中間用止め輪（７）は、縮径状態にしたり、伸径状態にすることができるよう構成されていること。
【請求項４】
請求項２あるいは請求項３記載のマンホールにおける漏水遮断具を用いて下記の各工程から構成されていることを特徴とするマンホールにおける漏水遮断具の使用方法。
第１工程
マンホール用漏水遮断具体（３）の円筒状上筒面（３Ｂ）をマンホール（２）における上部円筒枠（２Ｃ）の内周面に当接し、円筒状下筒面（３Ｄ）をマンホール（２）における下部円筒枠（２Ａ）の上方部分の内周面に当接する状態で取付ける。
第２工程
マンホール用漏水遮断具体（３）の円筒状上筒面（３Ｂ）の内周面に上端用止め輪（４）あるいは第１種上端用止め輪（６）を位置させたのち、伸径状態にして当該円筒状上筒面（３Ｂ）を上部円筒枠（２Ｃ）の上端に圧着固定する。
第３工程
マンホール用漏水遮断具体（３）の下部円筒枠（３Ｃ）における中間の内周面と円筒状下筒面（３Ｄ）の内周面に中間用止め輪（５、５）あるいは第１種中間用止め輪（７、７）を位置させたのち、当該中間用止め輪あるいは第１種中間用止め輪を伸径状態にして下部円筒枠（３Ｃ）の中間部分と円筒状下筒面（３Ｄ）をマンホール（２）の内周面に圧着固定する。
【発明の詳細な説明】
【０００１】
【発明の属する技術分野】
本発明は、新規な構成を有するマンホール用漏水遮断具体とマンホールにおける漏水遮断具とマンホールにおける漏水遮断具の使用方法に関するものである。
【０００２】
【従来の技術】
従来のマンホールにおける漏水遮断工事は、下記のような構成となっている。
１．マンホールの継目にシール材（ウレタン系）を挟んで施工する。
２．マンホールの継目にモルタルを充填して施工する。
３．マンホールの継目に急結性止水材を充填して施工する。
【０００３】
【発明が解決しようとする課題】
従来の技術で述べたものにあっては、下記のような問題点を有していた。
凍上による継目のずれ、もしくは地上からの振動によって破壊され、マンホール本来の機能を失ってしまう。
すなわち、凍上、解氷によりマンホールの継手部が上下左右にスライドにより変化した場合、漏水遮断部、修繕個所が破壊される。
また、マンホールが設置されている個所では、通行車両によりマンホールの継手部の修繕個所が破壊される。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、有底の円筒状の下部円筒枠２Ａの上に適数個の円筒状の中間円筒枠２Ｂ、逆ろうと状の上部円筒枠２Ｃ、蓋２Ｄを順次積み重ねて構成されているマンホール２において、天然系合成ゴム（ＳＢＲ系）をもって上部円筒枠２Ｃの内周面に対応するよう構成された逆ろうと状の円筒面３Ａと、逆ろうと状の円筒面の上端の内周面に対応するよう構成された所定高さの円筒状上筒面３Ｂと、逆ろうと状の円筒面３Ａの下端に下方に向け処理を所望する中間円筒枠２Ｂの内周面を越え下部円筒枠２Ａに達するよう連設された下部円筒枠３Ｃと、下部円筒枠の下端部分に設けられた所定高さの円筒状下筒面３Ｄから構成されていることを特徴とするものである。
【０００６】
請求項２記載の発明は、有底の円筒状の下部円筒枠２Ａの上に適数個の円筒状の中間円筒枠２Ｂ、逆ろうと状の上部円筒枠２Ｃ、蓋２Ｄを順次積み重ねて構成されているマンホール２において、下記のマンホール用漏水遮断具体３と、上端用止め輪４と、適数個の中間用止め輪５から構成されていることを特徴とするものである。
Ａ．マンホール用漏水遮断具体３は、天然系合成ゴム（ＳＢＲ系）をもって上部円筒枠２Ｃの内周面に対応するよう構成された逆ろうと状の円筒面３Ａと、逆ろうと状の円筒面の上端の内周面に対応するよう構成された所定高さの円筒状上筒面３Ｂと、逆ろうと状の円筒面３Ａの下端に下方に向け処理を所望する中間円筒枠２Ｂの内周面を越え下部円筒枠２Ａに達するよう連設された下部円筒枠３Ｃと、下部円筒枠の下端部分に設けられた所定高さの円筒状下筒面３Ｄから構成されていること。
Ｂ．上端用止め輪４は、左方の半円状の帯状板４Ａと右方の半円状の帯状板４Ｂと前方ボルト部４Ｃと後方ボルト部４Ｄからなり、マンホール用漏水遮断具体３における円筒状上筒面３Ｂの内周面に対応するよう構成され、当該上端用止め輪４は、縮径状態にしたり、伸径状態にすることができるよう構成されていること。
Ｃ．中間用止め輪５は、左方の半円状の帯状板５Ａと右方の半円状の帯状板５Ｂと前方ボルト部５Ｃと後方ボルト部５Ｄからなり、マンホール用漏水遮断具体３における円筒状下筒面３Ｄの内周面に対応するよう構成され、当該中間用止め輪５は、縮径状態にしたり、伸径状態にすることができるよう構成されていること。
【０００７】
請求項３記載の発明は、請求項２記載の発明において、上端用止め輪４と中間用止め輪５に代えて使用する第１種上端用止め輪６と第１種中間用止め輪７は下記のように構成されていることを特徴とするものである。
Ａ．第１種上端用止め輪６は、左方の半円状の帯状板６Ａと右方の半円状の帯状板６Ｂと連結枠６Ｃと間隔保持板６Ｄと固定枠６Ｅから構成され、マンホール用漏水遮断具体３における円筒状上筒面３Ｂの内周面に対応するよう構成され、当該第１種上端用止め輪６は、縮径状態にしたり、伸径状態にすることができるよう構成されていること。
Ｂ．第１種中間用止め輪７は、左方の半円状の帯状板７Ａと右方の半円状の帯状板７Ｂと連結枠７Ｃと間隔保持板７Ｄと固定枠７Ｅから構成され、当該第１種中間用止め輪７は、縮径状態にしたり、伸径状態にすることができるよう構成されていること。
【０００８】
請求項４記載の発明は、請求項２あるいは請求項３記載の発明を用いて下記の各工程から構成されていることを特徴とするものである。
第１工程
マンホール用漏水遮断具体３の円筒状上筒面３Ｂをマンホール２における上部円筒枠２Ｃの内周面に当接し、円筒状下筒面３Ｄをマンホール２における下部円筒枠２Ａの上方部分の内周面に当接する状態で取付ける。
第２工程
マンホール用漏水遮断具体３の円筒状上筒面３Ｂの内周面に上端用止め輪４あるいは第１種上端用止め輪６を位置させたのち、伸径状態にして当該円筒状上筒面３Ｂを上部円筒枠２Ｃの上端に圧着固定する。
第３工程
マンホール用漏水遮断具体３の下部円筒枠３Ｃにおける中間の内周面と円筒状下筒面３Ｄの内周面に中間用止め輪５、５あるいは第１種中間用止め輪７、７を位置させたのち、当該中間用止め輪あるいは第１種中間用止め輪を伸径状態にして下部円筒枠３Ｃの中間部分と円筒状下筒面３Ｄをマンホール２の内周面に圧着固定する。
【０００９】
【発明の実施の形態】
以下、本発明の実施の形態を実施例にもとづき図面を参照して説明する。
３は第１発明のマンホール用漏水遮断具体である。
１は第２発明のマンホールにおける漏水遮断具である。
マンホール２は、有底の円筒状の下部円筒枠２Ａの上に適数個の円筒状の中間円筒枠２Ｂ、逆ろうと状の上部円筒枠２Ｃ、蓋２Ｄを順次積み重ねて構成されている。
【００１０】
まず、第１発明のマンホール用漏水遮断具体３は下記のように構成されている。
すなわち、マンホール用漏水遮断具体３は、天然系合成ゴム（ＳＢＲ系）をもって上部円筒枠２Ｃの内周面に対応するよう構成された逆ろうと状の円筒面３Ａと、逆ろうと状の円筒面の上端の内周面に対応するよう構成された所定高さの円筒状上筒面３Ｂと、逆ろうと状の円筒面３Ａの下端に下方に向け処理を所望する中間円筒枠２Ｂの内周面を越え下部円筒枠２Ａに達するよう連設された下部円筒枠３Ｃと、下部円筒枠の下端部分に設けられた所定高さの円筒状下筒面３Ｄから構成されている。
【００１１】
ついで、第２発明のマンホールにおける漏水遮断具１は、マンホール用漏水遮断具体３と、上端用止め輪４と、適数個の中間用止め輪５から構成されている。
【００１２】
Ａ．マンホール用漏水遮断具体３は、天然系合成ゴム（ＳＢＲ系）をもって上部円筒枠２Ｃの内周面に対応するよう構成された逆ろうと状の円筒面３Ａと、逆ろうと状の円筒面の上端の内周面に対応するよう構成された所定高さの円筒状上筒面３Ｂと、逆ろうと状の円筒面３Ａの下端に下方に向け処理を所望する中間円筒枠２Ｂの内周面を越え下部円筒枠２Ａに達するよう連設された下部円筒枠３Ｃと、下部円筒枠の下端部分に設けられた所定高さの円筒状下筒面３Ｄから構成されている。
Ｂ．上端用止め輪４は、左方の半円状の帯状板４Ａと右方の半円状の帯状板４Ｂと前方ボルト部４Ｃと後方ボルト部４Ｄから構成されている。
ａ．左方の半円状の帯状板４Ａは、マンホール用漏水遮断具体３における円筒状上筒面３Ｂの幅とほぼ同じ幅を有し、円筒状上筒面３Ｂの左方内周面の長さより長く構成されている。
ｂ．右方の半円状の帯状板４Ｂは、マンホール用漏水遮断具体３における円筒状上筒面３Ｂの幅とほぼ同じ幅を有し、円筒状下筒面３Ｄの右方内周面の長さより長く構成されていると共に、左方の半円状の帯状板４Ａにおける前後端部分４Ａ１、４Ａ１は、右方の半円状の帯状板４Ｂにおける前後端部分４Ｂ１、４Ｂ１と交差させた状態に構成されている。
ｃ．前方ボルト部４Ｃは、左方の半円状の帯状板４Ａにおける前端部分４Ａ１の近傍位置に内方に向け突設された左ボルト受け４Ｃ１と、右方の半円状の帯状板４Ｂにおける前端部分４Ｂ１の近傍位置に内方に向け突設された右ボルト受け４Ｃ２と、左ボルト受け４Ｃ１と右ボルト受け４Ｃ２に掛架螺合された前方ボルト４Ｃ３から構成されている。
ｄ．後方ボルト部４Ｄは、左方の半円状の帯状板４Ａにおける後端部分４Ａ１の近傍位置に内方に向け突設された左ボルト受け４Ｄ１と、右方の半円状の帯状板４Ｂにおける後端部分４Ｂ１の近傍位置に内方に向け突設された右ボルト受け４Ｄ２と、左ボルト受け４Ｄ１と右ボルト受け４Ｄ２に前方ボルト４Ｃ３とは逆方向をもって掛架螺合された後方ボルト４Ｄ３から構成されている。
この上端用止め輪４の使用方法は、図５を参照して、適当な工具で前方ボルト４Ｃ３と後方ボルト４Ｄ３を回動させることで、上端用止め輪４を縮径状態にしたり、伸径状態にすることができる。
【００１３】
Ｃ．中間用止め輪５は、左方の半円状の帯状板５Ａと右方の半円状の帯状板５Ｂと前方ボルト部５Ｃと後方ボルト部５Ｄから構成されている。
ａ．左方の半円状の帯状板５Ａは、マンホール用漏水遮断具体３における円筒状下筒面３Ｄの幅とほぼ同じ幅を有し、下部円筒枠３Ｃの左方内周面の長さより長く構成されている。
ｂ．右方の半円状の帯状板５Ｂは、マンホール用漏水遮断具体３における円筒状下筒面３Ｄの幅とほぼ同じ幅を有し、下部円筒枠３Ｃの右方内周面の長さより長く構成されていると共に、左方の半円状の帯状板５Ａにおける前後端部分５Ａ１、５Ａ１は、右方の半円状の帯状板５Ｂにおける前後端部分５Ｂ１、５Ｂ１と交差させた状態に構成されている。
ｃ．前方ボルト部５Ｃは、左方の半円状の帯状板５Ａにおける前端部分５Ａ１の近傍位置に内方に向け突設された左ボルト受け５Ｃ１と、右方の半円状の帯状板５Ｂにおける前端部分５Ｂ１の近傍位置に内方に向け突設された右ボルト受け５Ｃ２と、左ボルト受け５Ｃ１と右ボルト受け５Ｃ２に掛架螺合された前方ボルト５Ｃ３から構成されている。
ｄ．後方ボルト部５Ｄは、左方の半円状の帯状板５Ａにおける後端部分５Ａ１の近傍位置に内方に向け突設された左ボルト受け５Ｄ１と、右方の半円状の帯状板５Ｂにおける後端部分５Ｂ１の近傍位置に内方に向け突設された右ボルト受け５Ｄ２と、左ボルト受け５Ｄ１と右ボルト受け５Ｄ２に前方ボルト５Ｃ３とは逆方向をもって掛架螺合された後方ボルト５Ｄ３から構成されている。
この中間用止め輪５の使用方法は、図７を参照して、適当な工具で前方ボルト５Ｃ３と後方ボルト５Ｄ３を回動させることで、中間用止め輪５を縮径状態にしたり、伸径状態にすることができる。
【００１４】
上端用止め輪４と中間用止め輪５に代えて使用する他の実施例である第１種上端用止め輪６と第１種中間用止め輪７について説明する。（図８から図１２を参照する。）
Ａ．第１種上端用止め輪６は、左方の半円状の帯状板６Ａと右方の半円状の帯状板６Ｂと連結枠６Ｃと間隔保持板６Ｄと固定枠６Ｅから構成されている。
ａ．左方の半円状の帯状板６Ａは、マンホール用漏水遮断具体３における円筒状上筒面３Ｂの幅とほぼ同じ幅を有し、円筒状上筒面３Ｂの左方内周面の長さより短く構成されていると共に、帯状板６Ａの後方端６Ａ１の内側には係止用小板６Ａ２がボルト６Ａ３により着脱自在に取付けられている。
ｂ．右方の半円状の帯状板６Ｂは、マンホール用漏水遮断具体３における円筒状上筒面３Ｂの幅とほぼ同じ幅を有し、円筒状上筒面３Ｂの右方内周面の長さより短く構成されていると共に、帯状板６Ｂの後方端６Ｂ１の内側には係止用小板６Ｂ２がボルト６Ｂ３により着脱自在に取付けられている。
ｃ．連結枠６Ｃは、横向き略コ字状の短い型材で構成され、左方の半円状の帯状板６Ａにおける前方端６Ａ４と右方の半円状の帯状板６Ｂにおける前方端６Ｂ４の当接部分に内方から装着し、ボルト６Ｃ１、６Ｃ１により固定されている。
ｄ．間隔保持板６Ｄは、左方の半円状の帯状板６Ａの幅と同一幅の板で構成され、長さは当該間隔保持板６Ｄを左方の半円状の帯状板６Ａの後方端６Ａ１と右方の半円状の帯状板６Ｂの後方端６Ｂ１との間に嵌込んだ場合、左方の半円状の帯状板６Ａと右方の半円状の帯状板６Ｂが、マンホール用漏水遮断具体３における円筒状上筒面３Ｂに対して内方から押圧する長さに構成されている。
ｅ．固定枠６Ｅは、間隔保持板６Ｄより長い横向き略コ字状の型材で構成され、左方にはボルト穴６Ｅ１を開設し、右方には横長のボルト穴６Ｅ２を開設することで、係止用小板６Ａ２を取外した左方の半円状の帯状板６Ａの後方端６Ａ１と、係止用小板６Ｂ２を取外した右方の半円状の帯状板６Ｂの後方端６Ｂ１と、間隔保持板６Ｄの当接部分に内方から装着しボルト６Ａ３、６Ｂ３により固定するよう構成されている。
【００１５】
Ｂ．第１種中間用止め輪７は、左方の半円状の帯状板７Ａと右方の半円状の帯状板７Ｂと連結枠７Ｃと間隔保持板７Ｄと固定枠７Ｅから構成されている。
ａ．左方の半円状の帯状板７Ａは、マンホール用漏水遮断具体３における円筒状下筒面３Ｄの幅とほぼ同じ幅を有し、円筒状上筒面３Ｂの左方内周面の長さより短く構成されていると共に、帯状板７Ａの後方端７Ａ１の内側には係止用小板７Ａ２がボルト７Ａ３により着脱自在に取付けられている。
ｂ．右方の半円状の帯状板７Ｂは、マンホール用漏水遮断具体３における円筒状下筒面３Ｄの幅とほぼ同じ幅を有し、円筒状上筒面３Ｂの右方内周面の長さより短く構成されていると共に、帯状板７Ｂの後方端７Ｂ１の内側には係止用小板７Ｂ２がボルト７Ｂ３により着脱自在に取付けられている。
ｃ．連結枠７Ｃは、横向き略コ字状の短い型材で構成され、左方の半円状の帯状板７Ａにおける前方端７Ａ４と右方の半円状の帯状板７Ｂにおける前方端７Ｂ４の当接部分に内方から装着しボルト７Ｃ１、７Ｃ１により固定されている。
ｄ．間隔保持板７Ｄは、左方の半円状の帯状板７Ａの幅と同一幅の板で構成され、長さは当該間隔保持板７Ｄを左方の半円状の帯状板７Ａの後方端７Ａ１と右方の半円状の帯状板７Ｂの後方端７Ｂ１との間に嵌込んだ場合、左方の半円状の帯状板７Ａと右方の半円状の帯状板７Ｂが、マンホール用漏水遮断具体３における円筒状下筒面３Ｄに対して内方から押圧できる長さに構成されている。
ｅ．固定枠７Ｅは、間隔保持板７Ｄより長い横向き略コ字状の型材で構成され、左方にはボルト穴７Ｅ１を開設し、右方には横長のボルト穴７Ｅ２を開設することで、係止用小板７Ａ２を取外した左方の半円状の帯状板７Ａの後方端７Ａ１と、係止用小板７Ｂ２を取外した右方の半円状の帯状板７Ｂの後方端７Ｂ１と、間隔保持板７Ｄの当接部分に内方から装着しボルト７Ａ３、７Ｂ３により固定するよう構成されている。
【００１６】
上端用止め輪４と中間用止め輪５に代えて使用する他の実施例である第１種上端用止め輪６と第１種中間用止め輪７の使用方法を第１種上端用止め輪６を例に説明する。
後端に係止用小板６Ａ２と係止用小板６Ｂ２が取付けられ連結枠６Ｃで連結された左方の半円状の帯状板６Ａと右方の半円状の帯状板６Ｂを、係止用小板６Ａ２と係止用小板６Ｂ２に係止した油圧ジャッキＫで伸径状態にしたのち、係止用小板６Ａ２と係止用小板６Ｂ２を除去する。
この後、左方の半円状の帯状板６Ａと右方の半円状の帯状板６Ｂの後端間に間隔保持板６Ｄを嵌込み、固定枠６Ｅによって固定する。
【００１７】
第２発明のマンホールにおける漏水遮断具１の使用方法は下記の通りである。
図１を参照する。
第１工程
マンホール用漏水遮断具体３の円筒状上筒面３Ｂをマンホール２における上部円筒枠２Ｃの内周面に当接し、円筒状下筒面３Ｄをマンホール２における下部円筒枠２Ａの上方部分の内周面に当接する状態で取付ける。
第２工程
マンホール用漏水遮断具体３の円筒状上筒面３Ｂの内周面に上端用止め輪４を位置させ、当該上端用止め輪４を伸径状態にして当該円筒状上筒面３Ｂを上部円筒枠２Ｃの上端に圧着固定する。
第３工程
マンホール用漏水遮断具体３の下部円筒枠３Ｃにおける中間の内周面と円筒状下筒面３Ｄの内周面に中間用止め輪５、５あるいは第１種中間用止め輪７、７を位置させ、当該中間用止め輪あるいは第１種中間用止め輪を伸径状態にして下部円筒枠３Ｃの中間部分と円筒状下筒面３Ｄをマンホール２の内周面に圧着固定する。
【００１８】
【実施例】
さらに、以下のような条件で実験した結果、極めて良好な結果が得られた。
Ａ．マンホール用漏水遮断具体３の素材である天然系合成ゴム（ＳＢＲ系）は、硬質でありながら弾力性を有するものである。
Ｂ．マンホール用漏水遮断具体３の厚さは、１０ｍｍ程度のものを使用した。
【００１９】
【発明の効果】
本発明は、上述の通り構成されているので次に記載する効果を奏する。
１．本発明の最大の効果は、従来工法における漏水補修部の凍結や解氷及び振動によるマンホール継手部分の上下左右のずれによる破壊を、本発明では、漏水遮断具体の材質を天然系合成ゴムにすることにより上下左右の振動に対応できるものとし、漏水遮断個所に影響を及ぼさない。
従来の漏水補修工法の最大の弱点を解消したことにある。
２．漏水遮断具体の材質に天然系合成ゴムを使用しているため、マンホール継手部からの進入水の水圧に耐えられる強度を有し、漏水遮断個所も止め輪による外圧により漏水が発生しない。また、漏水遮断具体を設置するマンホール内は、ゴムの劣化の要因となる紫外線や急激な温度変化がなく、最適な設置場所となるため漏水遮断性能の低下が少なく、長期にわたってその性能を維持できる。
３．このほか、安価に製造できる、部品点数が少ないので組立が容易である、経済的である、などの効果をも有するものである。
【図面の簡単な説明】
【図１】第２発明の縦断面図である。
【図２】第１発明のマンホール用漏水遮断具体の斜視図である。
【図３】Ａ−Ａ線断面図である。
【図４】上端用止め輪の斜視図である。
【図５】同上の平面図である。
【図６】中間用止め輪の斜視図である。
【図７】同上の平面図である。
【図８】第１種中間用止め輪あるいは第１種上端用止め輪の斜視図である。
【図９】同上の組立て状態を説明する分解斜視図である。
【図１０】組立て状態を説明する斜視図である。
【図１１】組立て状態を説明する分解斜視図である。
【図１２】組立て状態を説明する分解斜視図である。
【符号の説明】
１　マンホールにおける漏水遮断具
３　マンホール用漏水遮断具体
４　上端用止め輪
５　中間用止め輪
【図１】
2004143784.tif 000003
【図２】
2004143784.tif 000004
【図３】
2004143784.tif 000005
【図４】
2004143784.tif 000006
【図５】
2004143784.tif 000007
【図６】
2004143784.tif 000008
【図７】
2004143784.tif 000009
【図８】
2004143784.tif 000010
【図９】
2004143784.tif 000011
【図１０】
2004143784.tif 000012
【図１１】
2004143784.tif 000013
【図１２】
2004143784.tif 000014
【手続補正書】
【提出日】平成14年12月4日(2002.12.4)
【手続補正１】
【補正対象書類名】明細書
【補正対象項目名】００１６
【補正方法】変更
【補正の内容】
【００１６】
上端用止め輪４と中間用止め輪５に代えて使用する他の実施例である第１種上端用止め輪６と第１種中間用止め輪７の使用方法を第１種上端用止め輪６を例に説明する。
後端に係止用小板６Ａ２と係止用小板６Ｂ２が取付けられ連結枠６Ｃで連結された左方の半円状の帯状板６Ａと右方の半円状の帯状板６Ｂを、係止用小板６Ａ２と係止用小板６Ｂ２に係止した油圧ジャッキＫで伸径状態にしたのち、左方の半円状の帯状板６Ａと右方の半円状の帯状板６Ｂの後端間に間隔保持板６Ｄを嵌込み、この後、係止用小板６Ａ２と係止用小板６Ｂ２を除去し、固定枠６Ｅによって固定する。


【手続補正２】
【補正対象書類名】図面
【補正対象項目名】図１０
【補正方法】変更
【補正の内容】
【図１０】
2004143784.tif 000015